(57)【要約】【課題】従来の商品陳列ケースは、コストは安いが、使った後はゴミとなってしまう物が主流である、ゴミとならず、資源の有効活用ができ、コストを抑えることができる商品陳列ケースを提供する。【解決手段】商品を収納し、前記商品を防水・防塵するための袋状部材１と、前記袋状部材を保持する保持部材２とを有する商品陳列ケース１２である。【選択図】図１
2014073341.tif 000002
【特許請求の範囲】
【請求項１】
商品を収納し、前記商品を防水・防塵するための袋状部材と、前記袋状部材を保持する保持部材とを有する商品陳列ケース。
【請求項２】
前記保持部材には、折り目が設けられ当該折り目に沿って組み立てることにより、前記商品を載置するスタンドになることを特徴とする請求項１記載の商品陳列ケース。
【請求項３】
前記保持部材にはスリットが設けられ、前記スリットに前記袋状部材が取り付けられることを特徴とする請求項１又は請求項２に記載の商品陳列ケース。
【請求項４】
前記保持部材にはスリットが設けられ、前記袋状部材には前記スリットより大きめの矢印状の返しの付いているベロが取り付けられることを特徴とする請求項１、請求項２又は請求項３に記載の商品陳列ケース。
【発明の詳細な説明】
【技術分野】
【０００１】  本発明は、主にスーパー、量販店、百貨店、専門店、コンビニエンスストアー等の店内で商品を陳列するのに用いられ、特に上積みし難い商品の陳列に好適な商品陳列ケースに関するものである。
【背景技術】
【０００２】  現在、商品陳列ケースは紙やプラスティック（合成樹脂）等を使った物が、きわめて広く普及しており、全世界の商品陳列に使われている（例えば、特許文献１，２参照。）。【０００３】  通信端末や通信端末の保護ケース及び、通信端末ケースの販売に伴う商品陳列ケース等は、形状や素材等は多岐に渡って世界中で広く普及している。【０００４】  これまで、商品陳列ケースは、紙やプラスティック等の異素材を同時に使った物（内容物の固定等に紙の内ケースを使い、外ケースにはプラスティックを使った物）、又は同素材を同時に使った物（内外ケースにプラスティックを使った物）等が多く出回ってきている。【０００５】  しかしながら、消費者が商品を購入し開封し、商品を商品陳列ケースから取り出した後、商品陳列ケースは、ゴミとなって捨てられてしまっていた。【０００６】  即ち、従来の商品陳列ケースは、ゴミとなってしまい、商品として使うことが出来なかった。【０００７】  ゴミとなった商品陳列ケースは、近年ではリサイクルされて再利用されている。
【先行技術文献】
【特許文献】
【０００８】
【特許文献１】特開２００７−２２３６０９
【特許文献２】特開２００９−２２６０２１
【発明の概要】
【発明が解決しようとする課題】
【０００９】  従来の商品陳列ケースはゴミとなってしまい、他の商品として使うことが出来なかった。
従って、上述したように、ゴミを出さない商品陳列ケースの開発が必要となる。
【課題を解決するための手段】
【００１０】  本発明は、商品陳列ケースを２つの商品からなる構成にし、一つ一つが個々に商品として使える物を作ることなどを見出し、本発明を完成するに至った。【００１１】  本発明は、商品陳列ケースを通信端末防水・防塵ケースと通信端末スタンドの２つの商品から構成し、販売する商品を補足する商品陳列ケースである。【００１２】  請求項１の発明は、商品を収納し、前記商品を防水・防塵するための袋状部材と、前記袋状部材を保持する保持部材とを有する商品陳列ケースである。【００１３】  請求項２の発明は、前記保持部材には、折り目が設けられ当該折り目に沿って組み立てることにより、前記商品を載置するスタンドになることを特徴とする請求項１記載の商品陳列ケースである。【００１４】  請求項３の発明は、前記保持部材にはスリットが設けられ、前記スリットに前記袋状部材が取り付けられることを特徴とする請求項１又は請求項２に記載の商品陳列ケースである。【００１５】  請求項４の発明は、前記保持部材にはスリットが設けられ、前記袋状部材には前記スリットより大きめの矢印状の返しの付いているベロが取り付けられることを特徴とする請求項１又は、請求項２又は、請求項３に記載の商品陳列ケースである。
【発明の効果】
【００１６】  本発明は、従来の使った後ゴミとなる陳列ケースとは違い、商品を収納し、商品を防水・防塵するための袋状部材と、袋状部材を保持する保持部材の２つの商品から構成されている陳列ケースで消費者に購買欲を持たせる効果がある。【００１７】  更に、本発明の商品陳列ケースは、ゴミが出ないため環境に配慮する効果がある。【００１８】  すなわち、本発明に係る商品陳列ケースは消費者が購入する商品以外に、商品を防水・防塵するための袋状部材と、袋状部材を保持する保持部材を、別途購入することがなく消費者にとってメリットをうたえる効果がある。【００１９】  又、本発明は、昨今世界中で環境に配慮した多くの商品開発が進む中、商品陳列ケースで環境に配慮した物が無いため、世界中でスタンダードに使われるようになる。
【図面の簡単な説明】
【図１】本発明の実施形態による商品陳列ケースの構成図である。
【図２】本発明の実施形態による商品陳列ケースの防水・防塵ケースの溶着の説明図である。
【図３】本発明の実施形態による商品陳列ケースのプレート状の通信端末スタンドの構成図である。
【図４】本発明の実施形態による商品陳列ケースの防水・防塵ケースとプレート状の通信端末スタンドと取り付けの説明図である。
【図５】本発明の実施形態による商品陳列ケースの通信端末スタンドの組み立ての説明図である。
【図６】本発明の実施形態による商品陳列ケースの防水・防塵ケースの使用方法の説明図である。
【図７】本発明の実施形態による商品陳列ケースの防水・防塵ケースの矢印状のベロをプレート状の通信端末スタンドのスリットへ取り付ける部分の説明図である。
【発明を実施するための形態】
【００２０】  以下に、本発明の一実施形態の商品陳列ケースを、図面を参照し、具体的に説明する。
【００２１】  図１を使って、本発明の実施形態による商品陳列ケース１２の説明をする。
商品陳列ケース１２は、携帯電話の保護ケースを主にスーパー、量販店、百貨店、専門店、コンビニエンスストアー等の店内で陳列するのに用いられ、特に上積みし難い商品の陳列に好適な商品陳列ケースであり、店先の陳列棚へ並べる際の、フック穴の開いた紙やプラスティック（合成樹脂）等を使った商品陳列ケースや紙やプラスティック（合成樹脂）等を使った商品梱包ケース等を言う。
商品陳列ケース１２は、商品を収納し、前記商品を防水・防塵するための防水・防塵ケース（袋状部材）１と、前記袋状部材を保持するプレート状の通信端末スタンド（保持部材）２とを有する。
防水・防塵ケース１をプレート状の通信端末スタンド２に取り付け、商品陳列ケース１２が完成する。
【００２２】  図２を使って、本発明の実施形態による防水・防塵ケース１の溶着を説明する。
この防水・防塵ケース１の構造は、ポリ塩化ビニール（ＰＶＣ，ｐｏｌｙｖｉｎｙｌ  ｃｈｌｏｒｉｄｅ）、ポリエチレンテレフタラート（ＰＥＴ，Ｐｏｌｙｅｔｈｙｌｅｎｅ  ｔｅｒｅｐｈｔｈａｌａｔｅ）、ポリスチレン（ｐｏｌｙｓｔｙｒｅｎｅ）、ポリカーボネート（ＰＣ，ｐｏｌｙｃａｒｂｏｎａｔｅ）、ポリエステル（ｐｏｌｙｅｓｔｅｒ）アクリル樹脂、（ａｃｒｙｌｉｃ  ｒｅｓｉｎ）、ポリプロピレン（ＰＰ，ｐｏｌｙｐｒｏｐｙｌｅｎｅ）等のプラスティック（合成樹脂）を使った前面シート１Ａと裏面シート１Ｂを元に熱溶着又は高周波ウェルダー加工にて溶着し形成される。
【００２３】  図３を使って、本発明の実施形態によるプレート状の通信端末スタンド２の構成を説明する。
フック穴３が開いたプレート状の通信端末スタンド２には、図２で溶着した防水・防塵ケース１の取り付け時に使うスリット４，８がある、そして通信端末スタンド２として、組み立てる時に使う差し込みスリットと、組み立てると通信端末１１を置く通信端末スタンド２になる、折り目５，６がある。
この通信端末スタンド２の構造は、ポリ塩化ビニール（ＰＶＣ，ｐｏｌｙｖｉｎｙｌ  ｃｈｌｏｒｉｄｅ）、ポリエチレンテレフタラート（ＰＥＴ，Ｐｏｌｙｅｔｈｙｌｅｎｅ  ｔｅｒｅｐｈｔｈａｌａｔｅ）、ポリスチレン（ｐｏｌｙｓｔｙｒｅｎｅ）、ポリカーボネート（ＰＣ，ｐｏｌｙｃａｒｂｏｎａｔｅ）、ポリエステル（ｐｏｌｙｅｓｔｅｒ）アクリル樹脂、（ａｃｒｙｌｉｃ  ｒｅｓｉｎ）、ポリプロピレン（ＰＰ，ｐｏｌｙｐｒｏｐｙｌｅｎｅ）等のプラスティック（合成樹脂）を使った前面シート１−Ａと、裏面シート１−Ｂを元に、熱溶着又は高周波ウェルダー加工にて溶着し形成された物と、紙等を使い形成された物がある。
プラスティック（合成樹脂）は、水周りで使うのに適す。
【００２４】  図４を使って、本発明の実施形態による商品陳列ケース１２の防水・防塵ケース１とプレート状の通信端末スタンド２の取り付けの図を説明する。
図２で溶着した防水・防塵ケース１の矢印状の返しの付いている取り付けベロ９，１０を、プレート状の通信端末スタンド２の取り付けスリット４、８へ差し込み取り付けられ商品陳列ケース１２となる。
【００２５】  図５を使って、本発明の実施形態によるプレート状の通信端末スタンド２の組み立ての図を説明する。
（ａ）、（ｂ）、（ｃ）の順に折り目５，６に沿ってプレート状の通信端末スタンド２を折り曲げ、プレート状の通信端末スタンド２の１３部分をスリット７に差し込む。
次に（ｄ）のように、通信端末１１を、通信端末スタンド２へ載せて完成する。
【００２６】  図６を使って、本発明の実施形態による防水・防塵ケース１の使用方法の図を説明する。
防水・防塵ケース１の中に、通信端末１１を（ｅ）、（ｆ）、（ｇ）、（ｈ）の手順で入れて完成する。
【００２７】  図７を使って、本発明の実施形態による商品陳列ケース１２の防水・防塵ケース１の矢印状のベロ９、１０をプレート状の通信端末スタンド２のスリット４，８へ取り付ける部分を説明する。
商品陳列ケース１２の、防水・防塵ケース１の矢印状の返しの付いている取り付けベロ９、１０は、プレート状の通信端末スタンド２に設けられたスリット４、８の幅より大きく、取り付けた際に容易に取り外せなくなっている。
【００２８】  なお、本発明はかかる例に限定されるものでないことは言うまでもない。
【符号の説明】
【００２９】１…防水・防塵ケース
１Ａ…防水・防塵ケース
１Ｂ…防水・防塵ケース
２…プレート状の通信端末スタンド
３…陳列するためのフック穴
４…取り付けスリット
５…組み立て折り目
６…組み立て折り目
７…取り付けスリット
８…取り付けスリット
９…取り付けベロ
１０…取り付けベロ
１１…通信端末
１２…商品陳列ケース
１３…通信端末台座
【図１】
2014073341.tif 000003
【図２】
2014073341.tif 000004
【図３】
2014073341.tif 000005
【図４】
2014073341.tif 000006
【図５】
2014073341.tif 000007
【図６】
2014073341.tif 000008
【図７】
2014073341.tif 000009